(57)【要約】【課題】印刷室にリール供給型印刷機を低い高さで一体化させることが可能なリール供給型印刷機を提供すること。【解決手段】１つのまたは各印刷タワー（１０）に割り当てられたウェブ案内及び回転ユニット（２５）は、印刷タワー（１０）それぞれの第２印刷ユニット（１２）に横方向で隣接して位置し、そのため、印刷タワーに隣接して位置する印刷タワーそれぞれの第２印刷ユニット（１２）とウェブ案内及び回転ユニット（２５）とは、同一の通路レベルから操作される。【選択図】図２
2014008781.tif 000002
【特許請求の範囲】
【請求項１】
少なくとも１つの印刷タワー（１０）を有するリール供給型印刷機であって、
前記印刷タワー（１０）が、印刷室床面から操作される第１印刷ユニット（１１）と、前記第１印刷ユニット（１１）の垂直方向の上方に位置し、前記印刷室床面の上方に位置する通路レベルから操作される第２印刷ユニット（１２）と、を備え、
前記印刷タワーが、リール交換機（１９）とウェブ案内及び回転ユニット（２５）とが割り当てられており、折畳器（２４）及び折畳上部構造体（２３）を備える折畳ユニット（２２）を有し、
前記印刷タワー（１０）に割り当てられた前記ウェブ案内及び回転ユニット（２５）が、前記印刷タワー（１０）それぞれの前記第２印刷ユニット（１２）に横方向で隣接して位置し、そのため、第２印刷ユニット（１２）と前記印刷タワーに横方向で隣接して位置する前記印刷タワー（１０）それぞれのウェブ案内及び回転ユニット（２５）とが、同一の前記通路レベルから操作されることを特徴とするリール供給型印刷機。
【請求項２】
前記印刷タワー（１０）それぞれの前記第１及び第２印刷ユニット（１１、１２）それぞれには、前記印刷タワーの両側にあるウェブ案内フレーム構造（２１）が割り当てられており、
前記印刷タワー（１０）それぞれに割り当てられた前記ウェブ案内及び回転ユニット（２５）が、前記印刷タワー（１０）それぞれの前記第２印刷ユニット（１２）の前記ウェブ案内フレーム構造（２１）のうちの１つに横方向で隣接して位置することを特徴とする請求項１に記載のリール供給型印刷機。
【請求項３】
前記ウェブ案内及び回転ユニット（２５）が隣接して位置する前記印刷タワー（１０）それぞれの前記第２印刷ユニット（１２）の前記ウェブ案内フレーム構造（２１）が、前記ウェブ案内及び回転ユニットの一体部分である、すなわち、前記ウェブ案内フレーム構造（２１）それぞれが、前記ウェブ案内及び回転ユニット（２５）それぞれの側壁部を形成するようになっていることを特徴とする請求項２に記載のリール供給型印刷機。
【請求項４】
隣接して前記ウェブ案内及び回転ユニット（２５）が位置する前記印刷タワー（１０）の前記第２印刷ユニット（１２）の前記ウェブ案内フレーム構造（２１）には、前記ウェブ案内及び回転ユニット（２５）それぞれの回転バー（２６）が取り付けられていることを特徴とする請求項２または３に記載のリール供給型印刷機。
【請求項５】
隣接して前記ウェブ案内及び回転ユニット（２５）が位置する前記印刷タワー（１０）それぞれの前記第２印刷ユニットの前記ウェブ案内フレーム構造（２１）には、前記印刷タワー（１０）で印刷された被印刷物ウェブに長手方向のスリットを入れるための切断ローラ（２０）及び色位置合せ制御ローラ（２１）が取り付けられていることを特徴とする請求項２から４のいずれか１項に記載のリール供給型印刷機。
【請求項６】
複数の前記印刷タワー（１０）が、第１軸（１８）に沿って横方向で隣り合って位置し、
前記印刷タワーの前記ウェブ案内及び回転ユニット（２５）が、前記第１軸（１８）と平行に延在する第２軸（３０）に沿って横方向で隣り合って位置し、
前記折畳ユニット（２２）の前記折畳上部構造体（２３）のメインフォーマ（３１）が、同様に、前記ウェブ案内及び回転ユニット（２５）の並びに前記印刷タワー（１０）の前記第１印刷ユニット（１２）の垂直高さにおいて前記第２軸（３０）に位置することを特徴とする請求項１から５のいずれか１項に記載のリール供給型印刷機。
【請求項７】
バルーンフォーマとして設計された少なくとも１つのさらなるフォーマ（３２）が、前記第２軸（３０）に関してずらして前記メインフォーマ（３１）に横方向で隣り合って位置し、
被印刷物ウェブまたは部分ウェブが、回転バー（３３）を介して前記さらなるフォーマ（３２）それぞれに供給されることを特徴とする請求項６に記載のリール供給型印刷機。
【請求項８】
前記印刷室床面の上方に位置する前記通路レベル（１４）が、広げられて前記ウェブ案内及び回転ユニット（２５）それぞれを支持することを特徴とする請求項１から７のいずれか１項に記載のリール供給型印刷機。
【発明の詳細な説明】
【技術分野】
【０００１】
本発明は、請求項１のプリアンブルにかかるリール供給型印刷機に関する。
【背景技術】
【０００２】
リール供給型印刷機、特に新聞紙印刷機として設計されたリール供給型印刷機は、主として、１以上の印刷タワーを備え、各印刷タワーは、垂直に積み重ねて位置する複数の印刷対からなる複数の印刷ユニットを備える。このため、新聞紙印刷機として設計されたリール供給型印刷機の各印刷タワーにおける各印刷ユニットは、主として、４つの印刷対を備える。各印刷タワーの第１の下側印刷ユニットは、操作員により、すなわち印刷室床面から印刷工により操作され、それぞれの印刷タワーにおける第１印刷ユニットの垂直上方に位置する第２印刷ユニットは、印刷室床面の上方に位置し形成されている通路レベルから操作される。印刷タワーに加え、リール供給型印刷機は、リール交換機を備え、各印刷タワーには、リール交換機が割り当てられている。リール交換機は、この場合において、被印刷物の移送方向で見て印刷タワーの前方に配置されている。ウェブ案内及び回転ユニットそれぞれは、被印刷物のウェブを案内して回転させ、これらを折畳ユニットの折畳上部構造体へ供給するために、印刷タワーの下流側に配置されて、折畳上部構造体に加えて少なくとも１つのフォーマを有する折畳ユニットは、主として、同様に、折畳器を備え、この折畳器では、被印刷物ウェブを横断切断する工程を経て部数を切り出す。公知のリール供給型印刷機において、印刷タワーに割り当てられたウェブ案内及び回転ユニットは、印刷タワーそれぞれの印刷ユニットの上方に位置する。これは、リール供給型印刷機の建物高さを比較的大きくし、そのため、印刷室にリール供給型印刷機を低い高さで一体化させることが不可能である。
【０００３】
特許文献１から、リール供給型印刷機が公知であり、この印刷機において、ウェブ案内及び回転ユニットは、印刷タワーの上方に配置されている。
【先行技術文献】
【特許文献】
【０００４】
【特許文献１】国際公開第２００８／１４５６５５号
【発明の概要】
【発明が解決しようとする課題】
【０００５】
これから出発して、本発明は、低い建物空間に対処するリール供給型印刷機を形成する目的に基づいている。この目的は、請求項１にかかるリール供給型印刷機を介して解決される。本発明によれば、１つのまたは各印刷タワーに割り当てられたウェブ案内及び回転ユニットは、印刷タワーそれぞれの第２印刷ユニットに横方向で隣接して位置し、そのため、印刷タワーに横方向で隣接して位置する印刷タワーそれぞれの第２印刷ユニットとウェブ案内及び回転ユニットとは、同一の通路レベルから操作される。
【０００６】
ここで、本発明を用いて、まず、ウェブ案内及び回転ユニットを位置付けることを提案しており、このウェブ案内及び回転ユニットは、印刷タワーそれぞれの第２印刷ユニットに横方向で隣接するリール供給型印刷機の印刷タワーに割り当てられて、そのため、印刷タワーそれぞれのウェブ案内及び回転ユニットは、第２印刷ユニットと共に、同一の通路レベルから操作される。このため、リール供給型印刷機の垂直建物高さを低減し、そのため、これらは、低い建物高さで印刷室に一体化される。
【０００７】
本発明の有利なさらなる展開において、１つのまたは各印刷タワーの各印刷ユニットは、印刷タワーの両側にあるウェブ案内フレーム構造に割り当てられており、１つのまたは各印刷タワーに割り当てられたウェブ案内及び回転ユニットは、印刷タワーそれぞれの第２印刷ユニットのウェブ案内フレーム構造のうちの１つに横方向で隣接して位置する。このようなウェブ案内及び回転ユニットの位置付けは、特に好ましい。
【０００８】
好ましくは、印刷タワーそれぞれの第２印刷ユニットのウェブ案内フレーム構造は、これに隣接してウェブ案内及び回転ユニットが位置しており、ウェブ案内及び回転ユニットそれぞれの一体部分である、すなわち、ウェブ案内フレーム構造は、ウェブ案内及び回転ユニットそれぞれの側壁部を形成するようになっている。ウェブ案内及び回転ユニットそれぞれの回転バーは、この場合において、ウェブ案内フレーム構造それぞれに取り付けられている。上記一体化のために、ウェブ案内及び回転ユニットそれぞれの側壁部を省略できる。このため、リール供給型印刷機の設計努力を低減する。
【０００９】
本発明の有利なさらなる展開において、複数の印刷タワーは、第１軸に沿って横方向で隣接して位置しており、印刷タワーのすべてのウェブ案内及び回転ユニットは、第２軸に沿って横方向で隣接して位置しており、この第２軸は、第２軸と平行に延在し、折畳ユニットの折畳上部構造体のメインフォーマは、同様に、ウェブ案内及び回転ユニットと印刷タワーの第２印刷ユニットとの垂直高さにおいて第２軸に位置する。好ましくは、バルーンフォーマ(balloon former)として形成された少なくとも１つの選択的なさらなるフォーマは、第２軸に対してずらしてメインフォーマに横方向で隣接して位置し、さらなるフォーマそれぞれには、回転バーを介して被印刷物ウェブまたは部分ウェブが供給される。印刷タワーとウェブ案内及び回転ユニットとの上記配列は、特に好ましく、印刷室におけるリール供給型印刷機の特に小型の配列を可能とする。
【課題を解決するための手段】
【００１０】
本発明の好ましい展開は、従属請求項及び以下の説明から得られる。本発明の例示的な実施形態は、これに限定されない図面を用いて詳細に説明される。
【図面の簡単な説明】
【００１１】
【図１】本発明の第１の例示的な実施形態におけるリール供給型印刷機を示す上面図である。
【図２】図１のリール供給型印刷機を示す第１側面図である。
【図３】図１のリール供給型印刷機を示す第２部分側面図である。
【図４】本発明の第２の例示的な実施形態におけるリール供給型印刷機を示す上面図である。
【図５】図４のリール供給型印刷機を示す側面図である。
【図６】図１のリール供給型印刷機のさらなる展開を示す図である。
【発明を実施するための形態】
【００１２】
図１から図３は、本発明におけるリール供給型印刷機を示すさまざまな図であり、このリール供給型印刷機は、新聞紙印刷機として設計されており、図示した例示的な実施形態において、リール供給型印刷機は、それぞれが積み重ねられて垂直に位置する２つの印刷ユニット１１、１２を有する全体で４つの印刷タワー１０を全体で備える。
【００１３】
各印刷タワー１０の第１の下側印刷ユニット１１は、図２及び図３から最も明らかなように、印刷室床面１３に位置し、操作員により印刷室床面１３から操作される。各印刷タワー１０の第２の上側印刷ユニット１２は、印刷タワー１０それぞれの第１印刷ユニット１１の垂直上方に位置し、通路レベル１４に基づいて操作され、この通路レベルは、印刷室床面１３の上方に形成されている。
【００１４】
図示の例示的な実施形態において、各印刷タワー１０の印刷ユニット１１、１２は、いわゆる８シリンダ印刷ユニットとして具体化されており、各印刷ユニットは、４つの印刷対１５を備える。印刷対１５の圧胴１６及び組版シリンダ１７は、それぞれ図２に示される。
【００１５】
図１において、印刷タワー１０は、軸１８に沿って横方向で隣り合って位置し、この軸１８は、機械軸として説明される。
【００１６】
図１からより明らかなように、各印刷タワー１０には、リール交換機１９が割り当てられている。リール交換機１９は、いつでも被印刷物リールを印刷タワー１０で印刷できるように準備する機能を果たす。印刷タワー１０で印刷される被印刷物ウェブは、印刷タワー１０それぞれに割り当てられたリール交換機１９によって準備状態とされており、リール交換機１９から出発して最初にウェブ案内ローラ２０を介して印刷タワー１０それぞれの第１の下側印刷ユニット１１に供給され、これらウェブ案内ローラ２０の一部は、印刷タワー１０それぞれの対応する印刷ユニットのいわゆるウェブ案内フレーム構造２１に取り付けられている。図２から最も明らかなように、各印刷ユニット１１、１２は、それぞれがその両側面にあるいわゆるウェブ案内フレーム構造２１を備える。
【００１７】
各印刷タワー１０の下側印刷ユニット１１から出発して、印刷される被印刷物ウェブは、印刷タワー１０それぞれの上側印刷ユニット１２の領域に到達し、印刷した後、折畳ユニット２２に到達し、折畳ユニット２２は、一方では、少なくとも１つのフォーマを有する折畳上部構造体２３を、他方では、折畳上部構造体２３の下流側に配置された折畳器２４を、備える。折畳上部構造体２３の１つのまたは折畳器の領域において、長手方向にスリットを入れることを介した、印刷タワー１０で印刷された被印刷物ウェブまたは被印刷物ウェブから生成された部分ウェブの長手方向の折り畳みを行う。折畳器２４の領域において、部数を切り出すために、被印刷物ウェブまたは部分ウェブの横断切断を行う。
【００１８】
印刷タワー１０で印刷された被印刷物ウェブを折畳ユニット２２に供給することを可能とするため、各印刷タワー１０には、ウェブ案内及び回転ユニット２５が割り当てられている。本発明に関して、各印刷タワー１０に割り当てられたウェブ案内及び回転ユニット２５は、印刷タワー１０それぞれの第２印刷ユニット１２に横方向で隣接して位置し、そのため、印刷タワーに横方向で隣接して位置する印刷タワー１０それぞれのウェブ案内及び回転ユニット２５とは、同一の通路レベル１４から操作される。
【００１９】
このため、リール供給型印刷機の垂直建物高さは、印刷タワー１０によって、すなわち垂直に積み重ねて位置する印刷タワー１０の印刷ユニット１１及び１２を通って規定されており、−従来技術において通常のように−その後従来技術にしたがってさらなる通路レベルを必要とする操作のために、印刷タワー１０の上方に位置するウェブ案内及び回転ユニットによって規定されない。それどころか、本発明においてウェブ案内及び回転ユニット２５が印刷タワー１０それぞれの第２印刷ユニット１２に横方向で隣接して位置するという事実により、さらなる通路レベルを必要とせず、したがって、第２印刷ユニット１２とウェブ案内及び回転ユニット２５は、１つのかつ同一の通路レベル１４から操作される。
【００２０】
本発明の有利なさらなる展開において、印刷タワー１０に割り当てられたウェブ案内及び回転ユニット２５は、印刷タワー１０それぞれに、すなわち印刷タワーの第２印刷ユニット１２に横方向で隣接する各印刷タワー１０の領域に位置し、そのため、第２印刷ユニット１２のウェブ案内フレーム構造２１のうちの１つは、ウェブ案内及び回転ユニットの一体部分である、すなわち、ウェブ案内フレーム構造２１それぞれは、ウェブ案内及び回転ユニット２５それぞれの側壁部を形成する、または提供する。そして、ウェブ案内及び回転ユニット２５それぞれの回転バー２６は、印刷タワー１０それぞれの第２印刷ユニット１２それぞれのウェブ案内フレーム構造２１それぞれに、すなわち回転バー２６それぞれの端部に取り付けられており、ウェブ案内及び回転ユニット２５それぞれの回転バー２６それぞれの両端を取り付けるために、さらなる側壁部２７がある。
【００２１】
図２から最も明確なように、さらなるローラは、ウェブ案内フレーム構造２１に取り付けられ、このウェブ案内フレーム構造は、ウェブ案内及び回転ユニット２５の一体部分であり、ウェブ案内及び回転ユニットの側壁部のうちの１つを提供しており、このさらなるローラは、例えば、印刷タワー１０それぞれで印刷された被印刷物ウェブの部分ウェブに長手方向にスリットを入れるための切断ローラ及び色位置合せ制御を固定するためのローラ２９などである。
【００２２】
図１から最も明らかなように、印刷タワーの領域において印刷タワー１０に割り当てられたウェブ案内及び回転ユニット２５は、印刷タワー１０の同一側に位置する、すなわち、すべてのウェブ案内及び回転ユニット２５は、第２軸３０に沿って横方向に隣り合って位置しており、この第２軸は、これに沿って印刷タワー１０が配置されている第１軸１８と平行に延在するようになっている。したがって、ウェブ案内及び回転ユニット２５は、印刷タワー１０から印刷した被印刷物ウェブを９０°旋回させる機能を果たしており、そのため、印刷した被印刷物ウェブまたは部分ウェブは、９０°の旋回に続いて、折畳ユニット２２の方向で機械軸と平行に移送される。
【００２３】
さらに、第２軸３０には、折畳ユニット２２の折畳上部構造体２３のメインフォーマ３１が位置する。ここで、メインフォーマ３１は、印刷タワー１０の第２印刷ユニット１２とウェブ案内及び回転ユニット２５が割り当てられた印刷タワーとほぼ同じ垂直高さに配置されている。折畳ユニット２２の折畳器２４は、印刷タワー１０の第１印刷ユニット１１と同様に、印刷室床面１３に位置する。
【００２４】
図１から明らかなように、折畳ユニット２２の折畳上部構造体２３は、メインフォーマ３１に加えて少なくとも１つのさらなるフォーマ３２を備え、このさらなるフォーマは、第２軸３０に関してずれてメインフォーマ３１に横方向で隣接して位置する。部分ウェブをこれらさらなるフォーマ３２に供給可能とするため、回転バー３３は、折畳上部構造体２３に割り当てられており、この回転バーを介して、被印刷物ウェブは、メインフォーマ３１の列から外れて回転され、さらなるフォーマ３２に供給される。メインフォーマ３１の一方側には、さらなるフォーマ３２が位置する。メインフォーマ３１の側部に１つのさらなるフォーマ３２を単に位置することが可能である。さらに、好ましくは、２つのさらなるフォーマ３２がメインフォーマ３１の側部に位置する。
【００２５】
図４及び図５は、新聞紙印刷機として設計されたリール供給型印刷機の例示的な実施形態を示しており、この実施形態は、その詳細に関して、図１から図３の例示的な実施形態におけるリール供給型印刷機に対応する発明に関連するが、図１から図３の例示的な実施形態とは以下の点で異なる、すなわち、印刷タワー１０に割り当てられたウェブ案内及び回転ユニット２５は、印刷タワー１０それぞれの反対側に、すなわち印刷タワー１０それぞれのうち第２印刷ユニット１２とは反対側に、それぞれ位置し、したがって、図４及び図５におけるウェブ案内及び回転ユニット２５は、リール交換機１９と印刷タワー１０との間に位置する。しかしながら、残りの詳細全てに関して、図４及び図５の例示的な実施形態は、図１から図３の例示的な実施形態に対応しており、そのため、必要でない繰り返しを避け、上記説明を参照する。
【００２６】
図６は、図１から図３のリール供給型印刷機のさらなる展開を示しており、図６に示す印刷タワー１０には、乾燥デバイス３４が割り当てられており、この乾燥デバイスにおいて、被印刷物ウェブがウェブ案内及び回転ユニット２５に到達する前に、印刷タワー１０で印刷された被印刷物ウェブを乾燥する。このため、図６から明らかなことは、印刷タワー１０で印刷された被印刷物ウェブが、印刷タワー１０の上側印刷ユニット１２から開始して、乾燥デバイス３４の上方にあるウェブ案内及び回転ユニット２５の方向で案内するために、乾燥デバイス３４の領域に到達し、乾燥デバイス３４に続いて、冷却デバイス３５において冷却され、冷却デバイス３５に続いて、ウェブ縁部制御デバイス３６及び湿し水デバイス３７を介して案内されることである。ここで、図６が示すことは、乾燥デバイス３４、冷却デバイス３５、ウェブ縁部制御デバイス３６及び湿し水デバイス３７が、印刷タワー１０の第２印刷ユニット１２に横方向で隣り合って、すなわち第２印刷ユニットのうちウェブ案内及び回転ユニット２５とは反対側に位置することである。
【００２７】
図６において、リール交換機１９によって準備した状態で維持されている被印刷物ウェブは、ウェブ縁部の位置及び印刷される被印刷物ウェブに関する供給張力を制御した状態で、送込ユニット３８を介して印刷タワー１０に供給される。
【００２８】
したがって、本発明は、積み重ねて位置する２つの印刷ユニット１１、１２を備える少なくとも１つの印刷タワー１０を備えるリール供給型輪転機に関する。１つのまたは各印刷タワー１０には、ウェブ案内及び回転ユニット２５が割り当てられており、このウェブ案内及び回転ユニットは、印刷タワー１０それぞれの上側印刷ユニット１２に横方向で隣接して位置し、そのため、上側印刷ユニット１２とウェブ案内及び回転ユニット２５とは、共通の通路レベル１４から操作される。印刷室床面の上方に位置する通路レベル１４は、好ましくは、広げられてウェブ案内及び回転ユニット２５を支持する。好ましくは、印刷タワー１０それぞれの上側印刷ユニット１２それぞれのウェブ案内フレーム構造２１は、ウェブ案内及び回転ユニット２５それぞれの一体部分を形成し、そのため、この場合において、ウェブ案内フレーム構造２１は、ウェブ案内及び回転ユニット２５それぞれの側壁部の１つを形成する。
【００２９】
上記態様において、リール供給型印刷機は、低い建物高さで設けられる。このようにして、リール供給型印刷機は、建物高さが大きくない印刷室に容易に一体化できる。
【符号の説明】
【００３０】
１０  印刷タワー
１１  印刷ユニット
１２  印刷ユニット
１３  印刷室床面
１４  通路レベル
１５  印刷対
１６  圧胴
１７  組版シリンダ
１８  第１軸
１９  リール交換機
２０  ウェブ案内ローラ
２１  ウェブ案内フレーム構造
２２  折畳ユニット
２３  折畳上部構造体
２４  折畳器
２５  ウェブ案内及び回転ユニット
２６  回転バー
２７  側壁部
２８  切断ローラ
２９  位置合せ制御ローラ
３０  第２軸
３１  メインフォーマ
３２  さらなるフォーマ
３３  回転バー
３４  乾燥デバイス
３５  冷却デバイス
３６  ウェブ縁部制御デバイス
３７  湿し水デバイス
３８  送込部
【図１】
2014008781.tif 000003
【図２】
2014008781.tif 000004
【図３】
2014008781.tif 000005
【図４】
2014008781.tif 000006
【図５】
2014008781.tif 000007
【図６】
2014008781.tif 000008
【外国語明細書】
2014008781000001.pdf